【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
物体側より順に、負の屈折力をもつ第１レンズ群と、正の屈折力をもつ第２レンズ群を有し、少なくとも両群の間隔を変化させることでズーミングを行なうズームレンズであって、
前記第１レンズ群が、物体側より順に、負の屈折力をもち像側に凹面を有するメニスカス形状の第１レンズと、負の屈折力をもち像側に凹面を有するメニスカス形状の第２レンズと、負の屈折力をもち像側に凹面を有する第３レンズと、正の屈折力をもち両凸形状の第４レンズと、負の屈折力をもつ第５レンズと、正の屈折力をもつ第６レンズの６枚のレンズから構成されることを特徴とするズームレンズ。
【請求項２】
物体側より順に、負の屈折力をもつ第１レンズ群と、正の屈折力をもつ第２レンズ群を有し、少なくとも両群の間隔を変化させることでズーミングを行なうズームレンズであって、
前記第１レンズ群が、物体側より順に、負の屈折力をもつ第１レンズと、負の屈折力をもつ第２レンズと、負の屈折力をもつ第３レンズと、正の屈折力をもつ第４レンズと、負の屈折力をもつ第５レンズと、正の屈折力をもつ第６レンズとの６枚のレンズから構成され、
次の条件式を満足することを特徴とするズームレンズ。
０．２＜ｄ６／｜ｆ１｜＜０．５
但し、ｄ６は前記第３レンズと前記第４レンズとの間の空気間隔、ｆ１は前記第１レンズ群の焦点距離である。
【請求項３】
物体側より順に、負の屈折力をもつ第１レンズ群と、正の屈折力をもつ第２レンズ群を有し、少なくとも両群の間隔を変化させることでズーミングを行なうズームレンズであって、
前記第１レンズ群が、物体側より順に、負の屈折力をもち像側に凹面を有するメニスカス形状の第１レンズと、負の屈折力をもち像側に凹面を有するメニスカス形状の第２レンズと、負の屈折力をもち像側に凹面を有する第３レンズと、正の屈折力をもつ第４レンズと、負の屈折力をもつ第５レンズと、正の屈折力をもつ第６レンズを有し、
次の条件式を満足することを特徴とするズームレンズ。
０．２＜ｄ６／｜ｆ１｜＜０．５
但し、ｄ６は前記第３レンズと前記第４レンズとの間の空気間隔、ｆ１は前記第１レンズ群の焦点距離である。
【請求項４】
前記第２レンズ群が、正レンズと負レンズを含んでなる接合レンズを少なくとも２組有することを特徴とする請求項１〜３の何れかに記載のズームレンズ。
【請求項５】
前記第２レンズ群が、両面非球面の正の屈折力をもつ単レンズを少なくとも１枚有することを特徴とする請求項１〜４の何れかに記載のズームレンズ。
【請求項６】
次の条件式を満足することを特徴とする請求項１〜５の何れかに記載のズームレンズ。
０．３＜｜ｆ１｜／ＧＤ１＜０．７
但し、ＧＤ１は前記第１レンズ群の全長、ｆ１は前記第１レンズ群の焦点距離である。
【請求項７】
次の条件式を満足することを特徴とする請求項１〜６の何れかに記載のズームレンズ。
０．３＜ＤＳ／｜ｆ１｜＜０．９
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
【請求項８】
次の条件式を満足することを特徴とする請求項７に記載のズームレンズ。
０．５＜ＤＳ／｜ｆ１｜＜０．８
但し、ＤＳは全系の焦点距離が前記第１レンズ群の焦点距離の−０．８倍の時の該第１レンズ群と前記第２レンズ群との間の間隔、ｆ１は前記第１レンズ群の焦点距離である。
【請求項９】
次の条件式を満足することを特徴とする請求項７又は８に記載のズームレンズ。
０．９＜ｆｔ／｜ｆ１｜＜１．３
但し、ｆｔは望遠端におけるズームレンズ全系の焦点距離、ｆ１は前記第１レンズ群の焦点距離である。
【請求項１０】
広角端における全画角が、９０°以上となる領域において結像することを特徴とする請求項１〜９の何れかに記載のズームレンズ。
【請求項１１】
請求項１〜１０のいずれかに記載のズームレンズを用いたカメラ。
【請求項１２】
次の条件式を満足することを特徴とする請求項１に記載のズームレンズ。
０．２＜ｄ６／｜ｆ１｜＜０．５
但し、ｄ６は前記第３レンズと前記第４レンズとの間の空気間隔、ｆ１は前記第１レンズ群の焦点距離である。
【請求項１３】
前記第５レンズが像側に凸面を有することを特徴とする請求項１に記載のズームレンズ。
【請求項１４】
前記第１レンズ群の像側且つ前記第２レンズ群の物体側に配置された明るさ絞りを有することを特徴とする請求項１に記載のズームレンズ。
【請求項１５】
前記第１レンズ群が、物体側より順に、像側に凹面を向けた負メニスカスレンズと、像側に凹面を向けた負メニスカスレンズと、両凹レンズと、両凸レンズと、物体側に凹面を向けた負メニスカスレンズと、物体側に凸面を向けた正メニスカスレンズとで構成されたことを特徴とする請求項１に記載のズームレンズ。
【請求項１６】
前記第２レンズ群が、物体側より順に、両凸レンズと、物体側に凹面を向けた正メニスカスレンズと両凹レンズとの接合レンズと、両凸レンズと、両凹レンズと両凸レンズとの接合レンズとで構成されたことを特徴とする請求項１５に記載のズームレンズ。
【請求項１７】
広角端から望遠端へのズームミング時に、前記第１レンズ群が望遠端近傍で像側に凸の軌跡となるように縁側へ移動し、第２レンズ群が開口絞りとともに物体側へ移動し、広角端から望遠端までのいずれかの状態における無限遠から至近距離へのフォーカシングは、第１レンズ群の前記第１レンズ乃至前記第４レンズからなる前群を像側へ移動させると共に、前記第５レンズ乃至前記第６レンズからなる後群を物体側に移動させて行なうことを特徴とする請求項１６に記載のズームレンズ。
【請求項１８】
非球面が、前記第１レンズ群の第２レンズの像側の凹面と前記第２レンズ群の第４レンズの両面に設けられたことを特徴とする請求項１６又は１７に記載のズームレンズ。
【手続補正２】
【補正対象書類名】明細書
【補正対象項目名】００１５
【補正方法】変更
【補正の内容】
【００１５】
また、本発明のズームレンズにおいては、広角端における全画角が、９０°以上となる領域において結像することを特徴としている。
また、本発明によるカメラは、上記本発明によるズームレンズを用いることを特徴としている。
また、本発明のズームレンズにおいては、次の条件式を満足することを特徴としている。
０．２＜ｄ６／｜ｆ１｜＜０．５
但し、ｄ６は前記第３レンズと前記第４レンズとの間の空気間隔、ｆ１は前記第１レンズ群の焦点距離である。
また、本発明のズームレンズにおいては、前記第５レンズが像側に凸面を有することを特徴としている。
また、本発明のズームレンズにおいては、前記第１レンズ群の像側且つ前記第２レンズ群の物体側に配置された明るさ絞りを有することを特徴としている。
また、本発明のズームレンズにおいては、前記第１レンズ群が、物体側より順に、像側に凹面を向けた負メニスカスレンズと、像側に凹面を向けた負メニスカスレンズと、両凹レンズと、両凸レンズと、物体側に凹面を向けた負メニスカスレンズと、物体側に凸面を向けた正メニスカスレンズとで構成されたことを特徴としている。
また、本発明のズームレンズにおいては、前記第２レンズ群が、物体側より順に、両凸レンズと、物体側に凹面を向けた正メニスカスレンズと両凹レンズとの接合レンズと、両凸レンズと、両凹レンズと両凸レンズとの接合レンズとで構成されたことを特徴としている。
また、本発明のズームレンズにおいては、広角端から望遠端へのズームミング時に、前記第１レンズ群が望遠端近傍で像側に凸の軌跡となるように縁側へ移動し、第２レンズ群が開口絞りとともに物体側へ移動し、広角端から望遠端までのいずれかの状態における無限遠から至近距離へのフォーカシングは、第１レンズ群の前記第１レンズ乃至前記第４レンズからなる前群を像側へ移動させると共に、前記第５レンズ乃至前記第６レンズからなる後群を物体側に移動させて行なうことを特徴としている。
更に、本発明のズームレンズにおいては、非球面が、前記第１レンズ群の第２レンズの像側の凹面と前記第２レンズ群の第４レンズの両面に設けられたことを特徴としている。
【手続補正３】
【補正対象書類名】明細書
【補正対象項目名】００２４
【補正方法】変更
【補正の内容】
【００２４】
なお、第２レンズ群における接合レンズ内のレンズの屈折力配分の順序は、物体側から正負の順の接合ダブレット、負正の順の接合ダブレット、正負正や負正負の接合トリプレットのいずれでもよい。
また、正の単レンズを非球面化して構成してもよい。このようにすれば、偏心による像の悪化を低減しやすくできる。特に、正の単レンズを両側非球面にすれば、さらに偏心補正による影響を低減しやすくすることができる。
また、第２レンズ群を、上述の接合レンズを複数含める構成と、両面非球面の正レンズとを同時に備えて構成すると、偏心の影響を抑えやすくなり、より好ましい。
【手続補正４】
【補正対象書類名】明細書
【補正対象項目名】００２８
【補正方法】変更
【補正の内容】
【００２８】
また、本発明のズームレンズにおいては、条件式(3)の下限値を０．４とすると良く、更には、０．５とするとより一層好ましい。
また、本発明のズームレンズにおいては、条件式(3)の上限値を０．８とすると良く、更には０．７５とするとより一層好ましい。
例えば、次の条件式(3')を満足すると好ましい。
０．５  ＜ＤＳ／｜ｆ１｜  ＜  ０．８                    …(3')
また、本発明のズームレンズにおいては、より好ましくは、次の条件式(4)を満足するとよい。
０．９  ＜  ｆｔ／｜ｆ１｜  ＜  １．３                  …(4)
但し、ｆｔは望遠端におけるズームレンズ全系の焦点距離、ｆ１は前記第１レンズ群の焦点距離である。
条件式(4)を満足すれば、望遠端での第１レンズ群に対する第２レンズ群以降の倍率が−１倍付近、より具体的には−０．９倍から−１．３倍の範囲内となり、条件式(3)を満足することにより、収差補正に必要な構成を確保しながら、適正な第１レンズ群の焦点距離を確保することができる。
そのため、広角端での第１レンズの径の小型化と適度な変倍比の確保に有利になる。
【手続補正５】
【補正対象書類名】明細書
【補正対象項目名】００３３
【補正方法】変更
【補正の内容】
【００３３】
図１は本発明の第１実施例にかかるズームレンズの光学構成を示す光軸に沿う断面図で、(a)は広角端、(b)は中間、(c)は望遠端での状態を示している。図２は第１実施例にかかるズームレンズの無限遠合焦点時での球面収差、非点収差、歪曲収差、倍率色収差を示す図で、(a)は広角端、(b)は中間、(c)は望遠端での状態を示している。図３は第１実施例にかかるズームレンズの撮影距離０．４ｍ合焦点時での球面収差、非点収差、歪曲収差、倍率色収差を示す図で、(a)は広角端、(b)は中間、(c)は望遠端での状態を示している。
【手続補正６】
【補正対象書類名】明細書
【補正対象項目名】００４２
【補正方法】変更
【補正の内容】
【００４２】
図４は本発明の第２実施例にかかるズームレンズの光学構成を示す光軸に沿う断面図で、(a)は広角端、(b)は中間、(c)は望遠端での状態を示している。図５は第２実施例にかかるズームレンズの無限遠合焦点時での球面収差、非点収差、歪曲収差、倍率色収差を示す図で、(a)は広角端、(b)は中間、(c)は望遠端での状態を示している。図６は第２実施例にかかるズームレンズの撮影距離０．４ｍ合焦点時での球面収差、非点収差、歪曲収差、倍率色収差を示す図で、(a)は広角端、(b)は中間、(c)は望遠端での状態を示している。
【手続補正７】
【補正対象書類名】明細書
【補正対象項目名】００５１
【補正方法】変更
【補正の内容】
【００５１】
図７は本発明の第３実施例にかかるズームレンズの光学構成を示す光軸に沿う断面図で、(a)は広角端、(b)は中間、(c)は望遠端での状態を示している。図８は第３実施例にかかるズームレンズの無限遠合焦点時での球面収差、非点収差、歪曲収差、倍率色収差を示す図で、(a)は広角端、(b)は中間、(c)は望遠端での状態を示している。図９は第３実施例にかかるズームレンズの撮影距離０．４ｍ合焦点時での球面収差、非点収差、歪曲収差、倍率色収差を示す図で、(a)は広角端、(b)は中間、(c)は望遠端での状態を示している。
【手続補正８】
【補正対象書類名】明細書
【補正対象項目名】００６３
【補正方法】変更
【補正の内容】
【００６３】
【図１】本発明の第１実施例にかかるズームレンズの光学構成を示す光軸に沿う断面図で、(a)は広角端、(b)は中間、(c)は望遠端での状態を示している。
【図２】第１実施例にかかるズームレンズの無限遠合焦点時での球面収差、非点収差、歪曲収差、倍率色収差を示す図で、(a)は広角端、(b)は中間、(c)は望遠端での状態を示している。
【図３】第１実施例にかかるズームレンズの撮影距離０．４ｍ合焦点時での球面収差、非点収差、歪曲収差、倍率色収差を示す図で、(a)は広角端、(b)は中間、(c)は望遠端での状態を示している。
【図４】本発明の第２実施例にかかるズームレンズの光学構成を示す光軸に沿う断面図で、(a)は広角端、(b)は中間、(c)は望遠端での状態を示している。
【図５】第２実施例にかかるズームレンズの無限遠合焦点時での球面収差、非点収差、歪曲収差、倍率色収差を示す図で、(a)は広角端、(b)は中間、(c)は望遠端での状態を示している。
【図６】第２実施例にかかるズームレンズの撮影距離０．４ｍ合焦点時での球面収差、非点収差、歪曲収差、倍率色収差を示す図で、(a)は広角端、(b)は中間、(c)は望遠端での状態を示している。
【図７】本発明の第３実施例にかかるズームレンズの光学構成を示す光軸に沿う断面図で、(a)は広角端、(b)は中間、(c)は望遠端での状態を示している。
【図８】第３実施例にかかるズームレンズの無限遠合焦点時での球面収差、非点収差、歪曲収差、倍率色収差を示す図で、(a)は広角端、(b)は中間、(c)は望遠端での状態を示している。
【図９】第３実施例にかかるズームレンズの撮影距離０．４ｍ合焦点時での球面収差、非点収差、歪曲収差、倍率色収差を示す図で、(a)は広角端、(b)は中間、(c)は望遠端での状態を示している。
【図１０】本発明のズームレンズを撮影レンズに用い、撮像素子として小型のＣＣＤまたはＣ−ＭＯＳ等を用いた一眼レフレックスカメラの断面図である。